(57)【要約】【課題】取付作業性の向上、装置の複雑化等の防止、及び、良好な排水性能の実現などを図ることができる排水栓装置を提供する。【解決手段】排水栓装置１は、排水口部材２と、上端側内周に排水口部材２が取付けられる配管３と、保持部４１、取付部４２及び連結部４３を備えてなるアタッチメント部材４とを有する。配管３の内周には段部３４が設けられ、取付部４２が排水口部材２及び段部３４間に配置される。連結部４３は、自身の幅が自身の長さよりも小さいものが１つのみ設けられる。配管３の上端側内周に対する排水口部材２の外周の取付は、段部３４に取付部４２を載置した状態で行うことが可能である。取付部４１は外径を縮小可能であり、アタッチメント部材４は、排水口部材２の内側を通して、排水口部材２の上方から取付・取外可能である。【選択図】      図１
2017172210.tif 000002
【特許請求の範囲】
【請求項１】
槽体の排水口を開閉するための栓蓋と、
前記栓蓋を支持する支持軸を有してなる支持軸機構と、
前記排水口に挿通された筒状の排水口部材と、
自身の上端側内周に前記排水口部材の外周が取付けられる筒状の配管と、
少なくとも一部が前記配管の内周に配置されるアタッチメント部材とを備え、
前記アタッチメント部材は、
自身の内周に前記支持軸が上下動可能な状態で配置された保持部と、
前記保持部の外周側に位置する環状の取付部と、
前記保持部の外周及び前記取付部の内周を連結する連結部とを有する排水栓装置であって、
前記配管は、その内周に環状の段部を具備し、
前記連結部は、前記アタッチメント部材を平面視したときにおいて、自身の幅が自身の長さよりも小さなものが１つのみ設けられ、
前記取付部は、
前記連結部と連結される部位以外の部位に、上下に貫通するスリット部を備えるとともに、
前記スリット部の幅を増減させる方向に弾性変形可能であり、かつ、
自身の外径が、常には前記排水口部材の下面の内径よりも大きい一方、前記スリット部の幅を減少させることで減少可能に構成されており、
前記アタッチメント部材は、常には前記取付部が前記排水口部材の下面及び前記段部間に位置するとともに前記段部に載置された状態である取付状態とされている一方、前記スリット部の幅を減少させ、前記取付部の外径を小さくした場合に、前記排水口部材の内側を通して前記排水口部材の上方へと取外可能であるとともに、取外後において、前記スリット部の幅を減少させ、前記取付部の外径を小さくした場合に、前記排水口部材の上方から前記排水口部材の内側を通して前記取付状態とすることが可能に構成され、
前記配管の上端側内周に対する前記排水口部材の外周の取付は、前記段部に前記取付部を載置した状態で行うことが可能に構成されていることを特徴とする排水栓装置。
【請求項２】
前記段部のうち前記取付部が載置される部位は、内周側に向けて徐々に高くなる形状をなすことを特徴とする請求項１に記載の排水栓装置。
【請求項３】
前記取付部のうち前記段部に載置される部位は、外周側に向けて徐々に低くなる形状をなすことを特徴とする請求項２に記載の排水栓装置。
【請求項４】
前記アタッチメント部材を上方に移動させたときに、前記取付部のうち前記排水口部材の下面と接触する部位、及び、前記排水口部材の下面のうち前記取付部と接触する部位の少なくとも一方は、前記排水口部材の中心軸側に向けて徐々に高くなる形状をなすことを特徴とする請求項１乃至３のいずれか１項に記載の排水栓装置。
【請求項５】
前記スリット部は、前記連結部との間で前記保持部の中心軸を挟む位置に設けられることを特徴とする請求項１乃至４のいずれか１項に記載の排水栓装置。
【発明の詳細な説明】
【技術分野】
【０００１】
本発明は、槽体の排水口に設けられる排水栓装置に関する。
【背景技術】
【０００２】
従来、排水栓装置としては、栓蓋、支持軸機構、伝達部材、排水口部材、配管、及び、アタッチメント部材を備えたものが知られている（例えば、特許文献１等参照）。
【０００３】
栓蓋は、槽体（例えば、浴槽や洗面器等）の排水口を開閉するためのものである。支持軸機構は、前記栓蓋を上下動可能な状態で支持する支持軸を備えたものである。伝達部材は、所定の操作部材（例えば、操作ボタンや操作ハンドル等）の変位を前記支持軸に伝達することで、前記支持軸を移動させるもの（例えば、ワイヤ等）であり、通常、筒状のチューブ部材の内周に配置される。排水口部材は、槽体に対し、排水の流路となる前記配管を接続するためのものであり、排水口に挿通されるとともに、配管との間で槽体を挟み込んだ状態で配管に取付けられる。アタッチメント部材は、排水口部材や配管の内周に取付けられる取付部と、取付部の内側に位置し、自身の内周にて支持軸を上下動可能な状態で保持する筒状の保持部とを備え、取付部及び保持部間の隙間を通って排水が流れるものである。
【０００４】
ところで、このような排水栓装置は、一般に次の手順で槽体に取付けられる。すなわち、排水口部材を配管に取付けた（配管を槽体に接続した）後に、配管の内部から槽体の表側へと支持軸機構や伝達部材を引き出した上で、支持軸機構を保持部に挿通することにより、支持軸機構をアタッチメント部材に取付ける（支持軸機構には、内周に伝達部材の配置されたチューブ部材が予め接続されている）。そして、アタッチメント部材（取付部）を排水口部材や配管に取付けるとともに、支持軸に対し栓蓋を取付けることで、排水栓装置が槽体に取付けられる。ここで、伝達部材の長さ等の関係上、支持軸機構等は、ほんの少しだけ引き出すことが可能であり、支持軸機構を保持部に挿通する等の各種作業は、排水口の近傍にて行われることとなる。
【０００５】
尚、アタッチメント部材の保持部が支持軸機構の一部を構成する場合など、アタッチメント部材が支持軸機構と一体化されている構成の場合には、配管の内部からチューブ部材や伝達部材の一端部がほんの少しだけ引き出された上で、排水口の近傍にて引き出されたチューブ部材の一端部が前記一体化された部品における支持軸機構に相当する部分へと接続される。その上で、前記一体化された部品におけるアタッチメント部材（取付部）に相当する部分が排水口部材や配管に取付けられる。
【０００６】
しかしながら、手の届かない配管内から支持軸機構や伝達部材等を引き出すとともに、排水口の近傍にて各種作業を行うことは、多くの手間や時間を要し、取付作業者に多大な負担を強いることとなってしまうおそれがある。また、支持軸機構等の引き出し時に、伝達部材が切れたり折れ曲がったりしてしまう等、部材の破損が生じてしまうおそれがある。
【０００７】
そこで、取付作業性の向上や部材の破損防止を図るべく、支持軸機構を保持する（又は、支持軸機構と一体化された）アタッチメント部材を環状のリング部材に取付けた上で、そのリング部材を配管の内周に対し予め螺合しておくことによって、配管に対し支持軸機構を予め取付けておき、その上で、配管に排水口部材を取付ける技術が提案されている（例えば、特許文献２等参照）。当該技術によれば、配管に対する排水口部材の取付時に、排水口部材等の内側において支持軸機構が既に保持された状態となる。そのため、配管内から支持軸機構等を引き出すといった面倒な作業が不要となり、取付作業性の向上や支持軸機構等の引き出し時における部材の破損防止を図ることができる。
【先行技術文献】
【特許文献】
【０００８】
【特許文献１】特開２００８−２２３４５３号公報
【特許文献２】特開２０１３−２５３４１６号公報
【発明の概要】
【発明が解決しようとする課題】
【０００９】
しかしながら、上記技術では、リング部材を別途設ける必要があるため、装置の複雑化や製造コストの増大を招いてしまうおそれがある。
【００１０】
また、上記技術は、リング部材の内周にアタッチメント部材の取付部を係止する構成であるため、取付部の内面は、排水口部材の中心軸側に突き出た状態となってしまう。そのため、アタッチメント部材における通水面積が減少し、排水性能が低下してしまうおそれがある。また、取付部に対しごみ等の異物が付着しやすくなってしまい、衛生性や清掃性の低下を招いてしまうおそれがある。
【００１１】
本発明は、上記事情に鑑みてなされたものであり、その目的は、取付作業性の向上、装置の複雑化等の防止、及び、良好な排水性能の実現などを図ることができる排水栓装置を提供することにある。
【課題を解決するための手段】
【００１２】
以下、上記目的を解決するのに適した各手段につき、項分けして説明する。なお、必要に応じて対応する手段に特有の作用効果を付記する。
【００１３】
手段１．槽体の排水口を開閉するための栓蓋と、
前記栓蓋を支持する支持軸を有してなる支持軸機構と、
前記排水口に挿通された筒状の排水口部材と、
自身の上端側内周に前記排水口部材の外周が取付けられる筒状の配管と、
少なくとも一部が前記配管の内周に配置されるアタッチメント部材とを備え、
前記アタッチメント部材は、
自身の内周に前記支持軸が上下動可能な状態で配置された保持部と、
前記保持部の外周側に位置する環状の取付部と、
前記保持部の外周及び前記取付部の内周を連結する連結部とを有する排水栓装置であって、
前記配管は、その内周に環状の段部を具備し、
前記連結部は、前記アタッチメント部材を平面視したときにおいて、自身の幅が自身の長さよりも小さなものが１つのみ設けられ、
前記取付部は、
前記連結部と連結される部位以外の部位に、上下に貫通するスリット部を備えるとともに、
前記スリット部の幅を増減させる方向に弾性変形可能であり、かつ、
自身の外径が、常には前記排水口部材の下面の内径よりも大きい一方、前記スリット部の幅を減少させることで減少可能に構成されており、
前記アタッチメント部材は、常には前記取付部が前記排水口部材の下面及び前記段部間に位置するとともに前記段部に載置された状態である取付状態とされている一方、前記スリット部の幅を減少させ、前記取付部の外径を小さくした場合に、前記排水口部材の内側を通して前記排水口部材の上方へと取外可能であるとともに、取外後において、前記スリット部の幅を減少させ、前記取付部の外径を小さくした場合に、前記排水口部材の上方から前記排水口部材の内側を通して前記取付状態とすることが可能に構成され、
前記配管の上端側内周に対する前記排水口部材の外周の取付は、前記段部に前記取付部を載置した状態で行うことが可能に構成されていることを特徴とする排水栓装置。
【００１４】
尚、「連結部は、アタッチメント部材を平面視したときにおいて、自身の幅が自身の長さよりも小さいものが１つのみ設けられ」とあるのは、例えば、保持部の外周面のうちその周方向に沿った１の領域のみと、取付部の内周面のうちその周方向に沿った１の領域のみとを連結する連結部が、上下方向に沿って複数設けられる構成を含む（この場合、それぞれの連結部は、アタッチメント部材を平面視したときにおいて、その幅がその長さよりも小さなものとされる）。また、幅方向に沿って分割されている複数の連結片部からなるとともに、アタッチメント部材を平面視したときにおいて、連結片部のうち前記幅方向一端に位置するものから前記幅方向他端に位置するものまでの幅が長さよりも小さくされた連結部が１つのみ存在する構成も含む。
【００１５】
上記手段１によれば、配管に対する排水口部材の取付を、配管の段部にアタッチメント部材の取付部を載置した状態で行うことができる。従って、アタッチメント部材により支持軸機構を保持した上で、配管に対する排水口部材の取付を行うことができ、排水栓装置の取付作業時に、配管内から支持軸機構等を引き出した上で、排水口の近傍にて各種作業を行うといった面倒で手間のかかる作業を不要なものとすることができる。その結果、取付作業性の向上を図ることができるとともに、支持軸機構等の引き出しに伴う部材の破損をより確実に防止することができる。
【００１６】
さらに、上記手段１によれば、アタッチメント部材自体を配管の段部に載置する構成であるため、上述した作用効果を実現するにあたり、リング部材等の部材を別途設ける必要がない。従って、装置の簡素化を図ることができるとともに、製造コストの増大抑制を効果的に図ることができる。
【００１７】
また、上記手段１によれば、取付部は段部に載置されるため、排水口部材の中心軸側に向けた取付部の内面の突出を抑制することができる。これにより、アタッチメント部材における通水面積（取付部及び保持部間の隙間の面積）をより大きく確保することができ、良好な排水性能を実現することができる。また、取付部に対するごみ等の異物の付着をより抑制することができ、衛生性や清掃性を向上させることができる。さらに、すっきりとした見た目となり、外観品質を高めることも可能となる。
【００１８】
加えて、上記手段１によれば、連結部は、アタッチメント部材を平面視したときにおいて、自身の幅が自身の長さよりも小さなものが１つのみ設けられる。従って、アタッチメント部材において一層大きな通水面積を確保することができ、優れた排水能力を実現することができる。また、連結部を１つのみとすることで、連結部に対するごみ等の異物の付着（引っ掛かり）を抑制することができる。そのため、異物による排水流路の閉塞が生じにくくなり、上述の優れた排水能力を長期間に亘って維持することができる。また、衛生性や清掃性の一層の向上を図ることができる。
【００１９】
さらに、上記手段１によれば、アタッチメント部材は、スリット部の幅を減少させるように取付部を弾性変形させることで、排水口部材の内側を通して、排水口部材の上方から取付・取外可能とされている。従って、排水口部材を配管から取外すことなく、アタッチメント部材やこれに保持される支持軸（支持軸機構）を容易に取付けたり、取外したりすることができる。その結果、破損時の交換などを容易に行うことができ、メンテナンス性を向上させることができる。
【００２０】
また、連結部が１つのみであるため、スリット部の幅を変更する方向への取付部の弾性変形を比較的容易に生じさせることができる。これにより、アタッチメント部材等の取付・取外を一層容易に行うことができ、メンテナンス性をより高めることができる。
【００２１】
手段２．前記段部のうち前記取付部が載置される部位は、内周側に向けて徐々に高くなる形状をなすことを特徴とする手段１に記載の排水栓装置。
【００２２】
上記手段２によれば、栓蓋を踏みつけてしまった場合など、支持軸機構ひいてはアタッチメント部材に対して下方側（段部側）に向けた力が加わったときに、取付部が段部に押付けられることで、取付部において拡径する方向の力を生じさせることができる。すなわち、段部に対する取付部の係止代を増大させたり、配管等へと取付部の外周面を押し付けたりする等の事象を生じさせ得る方向の力であって、アタッチメント部材の落ち込みを防止する方向の力を生じさせることができる。従って、アタッチメント部材が段部から外れて配管内に落ち込んでしまうことを極めて効果的に防止できる。
【００２３】
手段３．前記取付部のうち前記段部に載置される部位は、外周側に向けて徐々に低くなる形状をなすことを特徴とする手段２に記載の排水栓装置。
【００２４】
上記手段３によれば、支持軸機構ひいてはアタッチメント部材に対して下方側（段部側）に向けた力が加わったときに、取付部において拡径する方向の力をより確実に生じさせることができる。これにより、アタッチメント部材が段部から外れて配管内に落ち込んでしまうことをより一層確実に防止できる。
【００２５】
手段４．前記アタッチメント部材を上方に移動させたときに、前記取付部のうち前記排水口部材の下面と接触する部位、及び、前記排水口部材の下面のうち前記取付部と接触する部位の少なくとも一方は、前記排水口部材の中心軸側に向けて徐々に高くなる形状をなすことを特徴とする手段１乃至３のいずれかに記載の排水栓装置。
【００２６】
上記手段４によれば、アタッチメント部材等を取外すべく、アタッチメント部材を上方へと引き上げたときに、取付部が排水口部材の下面と接触することで、スリット部の幅が小さくなる方向に（取付部が縮径する方向に）取付部を弾性変形させることができる。従って、アタッチメント部材等の取外を一層容易に行うことができ、メンテナンス性をさらに向上させることができる。
【００２７】
手段５．前記スリット部は、前記連結部との間で前記保持部の中心軸を挟む位置に設けられることを特徴とする手段１乃至４のいずれかに記載の排水栓装置。
【００２８】
上記手段５によれば、スリット部の幅を変更する方向への取付部の弾性変形をより容易に生じさせることができる。その結果、アタッチメント部材等の取付・取外をさらに容易に行うことができ、メンテナンス性を一段と高めることができる。
【００２９】
また、上記手段５によれば、取付部における連結部に連結された部位（根元側部位）からスリット部を形成する部位（先端側部位）までの、取付部の周方向に沿った長さが過度に大きくなってしまうことを防止できる。従って、取付部における前記先端側部位へと負荷が加わったときに、取付部における前記根元側部位へと過度に大きな負荷が加わってしまうことを防止できる。これにより、取付・取外時などにおいて、アタッチメント部材（取付部）が誤って破損してしまうといった事態をより確実に防止できる。
【図面の簡単な説明】
【００３０】
【図１】排水栓装置の一部破断正面図である。
【図２】アタッチメント部材の斜視図である。
【図３】浴槽に対する排水栓装置の取付工程の一過程を示す一部破断正面図である。
【図４】アタッチメント部材の取外手法を説明するための一部破断正面図である。
【図５】アタッチメント部材の取付手法を説明するための一部破断正面図である。
【発明を実施するための形態】
【００３１】
以下に、一実施形態について図面を参照しつつ説明する。図１に示すように、排水栓装置１は、槽体としての浴槽１００に取付けられており、排水口部材２と、配管３と、アタッチメント部材４と、支持軸機構５と、栓蓋６とを備えている。尚、浴槽１００は、底面を構成する底壁部１０１を備えており、当該底壁部１０１には、上下方向に延びる円筒状の垂下部１０２と、当該垂下部１０２の下端部から垂下部１０２の軸側に向けて突出する環状の張出部１０３とが形成されている。そして、張出部１０３の内周面によって底壁部１０１を貫通する排水口１０４が形成されている。
【００３２】
排水口部材２は、筒状をなし、排水口１０４の中心軸と自身の中心軸とがほぼ一致した状態で排水口１０４に挿通されている。また、排水口部材２の上端側には、外周側に突出形成された環状の鍔部２１が形成されており、当該鍔部２１よりも下端側の外周面には、雄ねじ部２２が形成されている。
【００３３】
配管３は、鉛直方向に延びる筒状をなす主管部３１と、当該主管部３１から枝分かれして延びる枝分かれ管部３２とを備えている。主管部３１は、浴槽１００からの排水の流路を構成する部位であり、枝分かれ管部３２は、所定の操作装置（図示せず）に対し所定の管体（図示せず）を介して接続される部位である。また、主管部３１の上端部内周には、雌ねじ部３３が形成されている。
【００３４】
そして、配管３を浴槽１００の裏側に配置した上で、排水口１０４を通して雌ねじ部３３に対し雄ねじ部２２を螺合し、排水口部材２（鍔部２１）及び配管３（主管部３１）により張出部１０３を挟み込んだ状態とすることにより、排水口部材２及び配管３が浴槽１００に取付けられている。尚、配管３（主管部３１）の上端部と浴槽１００の裏面との間には、弾性変形可能な材料からなる環状のシール部材７が両者に挟み込まれた状態で設けられている。これにより、浴槽１００及び配管３間からの漏水防止が図られている。
【００３５】
さらに、主管部３１の内周であって、雌ねじ部３３よりも下方には、環状の段部３４が形成されている。段部３４のうち少なくとも後述する取付部４２の載置される部位（本実施形態では、段部３４の全域）は、内周側に向けて徐々に高くなる傾斜面状をなしている。尚、段部３４は、配管３の周方向に沿って連続的に設けられていてもよいし、非連続的に設けられていてもよい。
【００３６】
アタッチメント部材４は、少なくとも一部が配管３の内周に配置されており、図２に示すように、保持部４１、取付部４２及び連結部４３を備えている。尚、浴槽１００からの排水は、保持部４１及び取付部４２間の隙間を通って流れ落ちることとなる。
【００３７】
保持部４１は、円筒状をなし、自身の内周において支持軸機構５を保持している。尚、本実施形態において、保持部４１は、その軸方向に沿って延びる隙間部４４を備えている。当該隙間部４４が拡幅するように保持部４１を弾性変形させることで、保持部４１に対しその後端側開口から支持軸機構５を挿通することが可能となっている。その結果、保持部４１の内周に対する支持軸機構５の配置作業を容易に行うことができるようになっている。
【００３８】
また、保持部４１の少なくとも一部は、底壁部１０１におけるほぼ水平に延びる部分の表面最下部Ｘ（本実施形態では、垂下部１０２に向けて湾曲し始める部位）よりも上方に位置している。
【００３９】
取付部４２は、径方向に沿った厚さが比較的小さな筒状をなしており、保持部４１の外周側に位置している。取付部４２は、その下面が段部３４に載置されており、排水口部材２の下面と段部３４との間に配置された状態とされている。また、取付部４２は、前記連結部４３と連結される部位以外の部位に、その軸方向に延びるとともに、上下に貫通するスリット部４５を備えている。本実施形態において、スリット部４５は、連結部４３との間で保持部４１の中心軸を挟む位置（連結部４３との間に保持部４１の中心軸が存在する位置）に設けられている。
【００４０】
加えて、取付部４２は、スリット部４５の幅を増減させる方向に弾性変形可能となっている。本実施形態において、取付部４２は、その外径が、常には排水口部材２の下面の内径よりも大きい一方、スリット部４５の幅を減少させることにより、少なくとも排水口部材２の最小内径よりも小さくなるまで減少可能に構成されている。尚、取付部４２の外径が常には排水口部材２の下面の内径よりも大きくされることで、アタッチメント部材４の浮き上がりを抑制できるようになっている。
【００４１】
さらに、取付部４２のうち少なくとも段部３４に載置される部位（本実施形態では、取付部４２の下面全域）である被載置部４６は、取付部４２の外周側に向けて徐々に低くなる傾斜面状をなしている。
【００４２】
また、取付部４２の上面のうちアタッチメント部材４を上方へと移動させたときに排水口部材２の下面と接触する部位である被接触部４７は、取付部４２の内周側（排水口部材２の中心軸側）に向けて徐々に高くなる傾斜面状をなしている。尚、排水口部材２の下面のうちアタッチメント部材４を上方へと移動させたときに取付部４２の上面と接触する部位である接触部２４（図１等参照）を、排水口部材２の内周側（排水口部材２の中心軸側）に向けて徐々に高くなる形状としてもよい。
【００４３】
連結部４３は、取付部４２の径方向に延びるとともに、保持部４１の外周及び取付部４２の内周を連結し、保持部４１を支持する部位である。連結部４３は、上下方向に沿って延びる平板状をなしており、アタッチメント部材４を平面視したときにおいて、自身の幅が自身の長さよりも小さいものが１つのみ設けられている。換言すれば、保持部４１の中心軸と直交する投影面に連結部４３を投影したとき、連結部４３の投影部分において、その長さがその幅よりも小さく、かつ、連結部４３の投影部分が１つのみ存在する状態とされている。
【００４４】
さらに、連結部４３の下部外周には、外側に突出する突起部４３Ａが形成されている。突起部４３Ａは枝分かれ管部３２内に配置されており、これにより、連結部４３が枝分かれ管部３２側へと自ずと配置されるようになっている。また、突起部４３Ａは、主管部３１の周方向に沿って枝分かれ管部３２の内周面で挟まれた状態となっており、その結果、配管３に対するアタッチメント部材４の相対回転が規制された状態となっている。配管３に対するアタッチメント部材４の相対回転が規制されることで、相対回転に伴い後述する伝達部材８やチューブ部材９へと負荷が加わることをより確実に防止可能となっている。
【００４５】
また、連結部４３の下部には収容溝部４３Ｂが設けられており、図１に示すように、当該収容溝部４３Ｂに対し伝達部材８及びチューブ部材９が配置可能に構成されている。伝達部材８は、例えばワイヤ等からなり、前記操作装置における図示しない所定の操作部材（例えば、押ボタンや回転ハンドルなど）の変位による駆動力を、次述する支持軸５１へと伝達するものであり、チューブ部材９は、筒状をなし、伝達部材８の外周に配置されたものである。前記操作部材の変位に伴い、伝達部材８はチューブ部材９内を往復移動することとなる。また、伝達部材８及びチューブ部材９は、収容溝部４３Ｂに配置されることにより、枝分かれ管部３２内へと案内されるようになっている。
【００４６】
支持軸機構５は、先端部に栓蓋６が取付けられた棒状の支持軸５１と、当該支持軸５１を上下動可能な状態で保持する筒部５２とを備えている。支持軸５１は、伝達部材８の端部と接触可能に構成されている。そして、支持軸５１は、前記操作部材の変位に伴い伝達部材８が往動し、この伝達部材８により持ち上げられることで上動する。一方、支持軸５１は、前記操作部材の変位に伴い伝達部材８が復動することにより下動する。
【００４７】
また、本実施形態では、支持軸機構５又は前記操作装置に所定のロック機構（図示せず）が設けられており、当該ロック機構によって、前記操作部材を操作する度に、上昇端における支持軸５１のロックと、ロック解除に伴う支持軸５１の下動とが交互に行われるようになっている。
【００４８】
栓蓋６は、樹脂等からなる円盤状の蓋部６１と、当該蓋部６１の裏面中心部から下方に向けて延びる筒状をなし、支持軸５１の先端部が嵌合された取付筒部６２と、当該取付筒部６２の下部外周に嵌め込まれた、弾性変形可能な材料（例えば、ゴムや樹脂等）からなる環状のパッキン部６３とを備えている。本実施形態では、取付筒部６２が比較的長いものとされることで、支持軸５１の下動に伴い栓蓋６が下動したときに、パッキン部６３の外周部分全周が排水口部材２の内周上端の角部２３に接触し、その結果、排水口１０４が閉鎖されるようになっている。一方で、支持軸５１の上動に伴い栓蓋６が上動したときに、パッキン部６３が排水口部材２から離間することで、排水口１０４が開放されるようになっている。
【００４９】
次いで、上述した排水栓装置１の浴槽１００に対する取付手法について説明する。
【００５０】
まず、浴槽１００（張出部１０３）の裏側に、主管部３１が排水口１０４と同軸となる状態で配管３を配置するとともに、配管３の上端面と浴槽１００（張出部１０３）との間にシール部材７を配置した状態とする。このとき、配管３の段部３４に対し取付部４２を載置し、配管３の内周にアタッチメント部材４を予め配置するとともに、突起部４３Ａを枝分かれ管部３２内に配置した状態とする。さらに、伝達部材８及びチューブ部材９についても枝分かれ管部３２に配置した状態とする。また、このアタッチメント部材４の保持部４１によって予め支持軸機構５を保持した状態とする。
【００５１】
次いで、図３に示すように、排水口１０４に対し排水口部材２を挿通するとともに、排水口部材２を回転させることで雌ねじ部３３に対し雄ねじ部２２を螺合する。その結果、鍔部２１及び配管３によって張出部１０３及びシール部材７が挟み込まれた状態となり、排水口部材２に対し配管３が取付けられる（浴槽１００に対し配管３が接続される）。
【００５２】
そして最後に、支持軸５１の先端部に栓蓋６を取付けることで、浴槽１００に対する排水栓装置１の配設が完了する。
【００５３】
尚、浴槽１００に取付けられた排水栓装置１において、アタッチメント部材４は、常には取付部４２が排水口部材２の下面及び段部３４間に位置するとともに段部３４に載置された状態である取付状態とされている。しかし、本実施形態では、排水口部材２の内側を通して排水口部材２の上方へとアタッチメント部材４を取外可能であるとともに、取外後においては、アタッチメント部材４を排水口部材２の上方から排水口部材２の内側を通して前記取付状態とすることが可能に構成されている。そこで次に、アタッチメント部材４の取外手法、及び、取付手法（アタッチメント部材４を前記取付状態とする手法）について説明する。
【００５４】
まず、アタッチメント部材４の取外手法について説明する。アタッチメント部材４の取外は、排水口部材２の上方からアタッチメント部材４を上方に引き上げる（例えば、保持部４１を上方に引っ張る）ことにより行うことができる。具体的には、図４に示すように、アタッチメント部材４に対し上方に向けた力を加えることで、被接触部４７が排水口部材２の下面（接触部２４）を摺動しつつ、徐々に上方へと移動していく。その結果、スリット部４５の幅が減少する方向に取付部４２が徐々に弾性変形し、ひいてはアタッチメント部材４の中心軸が排水口部材２の中心軸に対し若干斜めになること等により、取付部４２の一部（例えば、スリット部４５側の部位）が排水口部材２の内側に入り込む。この状態になると、アタッチメント部材４に対し上方に向けた力を加えることで、取付部４２は容易に弾性変形して、その外径が排水口部材２の内径よりも小さくなり、取付部４２が排水口部材２の内側に入り込む。そして、この状態で、アタッチメント部材４に対しさらに上方に向けた力を加えることで、アタッチメント部材４は排水口部材２の内側を通過し、アタッチメント部材４が取外されることとなる。
【００５５】
次いで、アタッチメント部材４の取付手法について説明する。アタッチメント部材４の取付は、排水口部材２の上方からアタッチメント部材４を配管３内へと押し込むことにより行うことができる。具体的には、図５に示すように、取付部４２を弾性変形させてその外径を小さくした状態で、排水口部材２の内側にアタッチメント部材４を挿入する。そして、アタッチメント部材４を下方へと押し込んでいき、取付部４２が排水口部材２の下面と段部３４との間に位置する窪み部分に到達すると、取付部４２の弾性変形が解除される。その結果、取付部４２は段部３４に載置されるとともに、段部３４及び排水口部材２の下面間に配置された状態となり、アタッチメント部材４が前記取付状態とされる。
【００５６】
以上詳述したように、本実施形態によれば、配管３に対する排水口部材２の取付を、段部３４に取付部４２を載置した状態で行うことができる。従って、アタッチメント部材４により支持軸機構５を保持した上で、配管３に対する排水口部材２の取付を行うことができ、排水栓装置１の取付作業時に、配管３内から支持軸機構５や伝達部材８等を引き出した上で、排水口１０４の近傍にて各種作業を行うといった面倒で手間のかかる作業を不要なものとすることができる。その結果、取付作業性の向上を図ることができるとともに、支持軸機構５や伝達部材８等の引き出しに伴う部材の破損をより確実に防止することができる。
【００５７】
さらに、アタッチメント部材４自体を段部３４に載置する構成であるため、リング部材等の部材を別途設ける必要がない。従って、排水栓装置１の簡素化を図ることができるとともに、製造コストの増大抑制を効果的に図ることができる。
【００５８】
また、本実施形態によれば、排水口部材２の中心軸側に向けた取付部４２の内面の突出を抑制することができる。これにより、アタッチメント部材４における通水面積（取付部４２及び保持部４１間の隙間の面積）をより大きく確保することができ、良好な排水性能を実現することができる。また、取付部４２に対するごみ等の異物の付着をより抑制することができ、衛生性や清掃性を向上させることができる。さらに、すっきりとした見た目となり、外観品質を高めることも可能となる。
【００５９】
加えて、連結部４３は、アタッチメント部材４を平面視したときにおいて、自身の幅が自身の長さよりも小さなものが１つのみ設けられる。従って、アタッチメント部材４において一層大きな通水面積を確保することができ、優れた排水能力を実現することができる。また、連結部４３を１つのみとすることで、連結部４３に対するごみ等の異物の付着（引っ掛かり）を抑制することができる。そのため、異物による排水流路の閉塞が生じにくくなり、上述の優れた排水能力を長期間に亘って維持することができる。また、衛生性や清掃性の一層の向上を図ることができる。
【００６０】
さらに、アタッチメント部材４は、スリット部４５の幅を減少させるように取付部４２を弾性変形させることで、排水口部材２の内側を通して、排水口部材２の上方から取付・取外可能とされている。従って、排水口部材２を配管３から取外すことなく、アタッチメント部材４やこれに保持される支持軸機構５を容易に取付けたり、取外したりすることができる。その結果、破損時の交換などを容易に行うことができ、メンテナンス性を向上させることができる。
【００６１】
また、連結部４３が１つのみであるため、スリット部４５の幅を変更する方向への取付部４２の弾性変形を比較的容易に生じさせることができる。これにより、アタッチメント部材４等の取付・取外を一層容易に行うことができ、メンテナンス性をより高めることができる。
【００６２】
加えて、段部３４のうち取付部４２が載置される部位は、内周側に向けて徐々に高くなる形状とされている。そのため、アタッチメント部材４に対して下方側（段部側）に向けた力が加わったときに、取付部４２が段部３４に押付けられることで、取付部４２において拡径する方向の力を生じさせることができる。すなわち、段部３４に対する取付部４２の係止代を増大させたり、配管３等へと取付部４２の外周面を押し付けたりする等の事象を生じさせ得る方向の力であって、アタッチメント部材４の落ち込みを防止する方向の力を生じさせることができる。従って、アタッチメント部材４が段部３４から外れて配管３内に落ち込んでしまうことを極めて効果的に防止できる。
【００６３】
さらに、被載置部４６は、取付部４２の外周側に向けて徐々に低くなる形状とされている。そのため、アタッチメント部材４に対して下方側（段部３４側）に向けた力が加わったときに、取付部４２において拡径する方向の力をより確実に生じさせることができる。これにより、アタッチメント部材４が段部３４から外れて配管３内に落ち込んでしまうことをより一層確実に防止できる。
【００６４】
また、被接触部４７は、取付部４２の内周側（排水口部材２の中心軸側）に向けて徐々に高くなる傾斜面状をなしている。そのため、アタッチメント部材４等の取外時に、取付部４２を容易に弾性変形させることができる。従って、取外作業を一層容易に行うことができ、メンテナンス性をさらに向上させることができる。
【００６５】
加えて、スリット部４５は、連結部４３との間で保持部４１の中心軸を挟む位置に設けられている。これにより、スリット部４５の幅を変更する方向への取付部４２の弾性変形をより容易に生じさせることができる。その結果、アタッチメント部材４等の取付・取外をさらに容易に行うことができ、メンテナンス性を一段と高めることができる。
【００６６】
さらに、取付部４２における連結部４３に連結された部位（根元側部位）からスリット部４５を形成する部位（先端側部位）までの、取付部４２の周方向に沿った長さが過度に大きくなってしまうことを防止できる。従って、取付部４２における前記先端側部位へと負荷が加わったときに、取付部４２における前記根元側部位へと過度に大きな負荷が加わってしまうことを防止できる。これにより、取付・取外時などにおいて、アタッチメント部材４（取付部４２）が誤って破損してしまうといった事態をより確実に防止できる。
【００６７】
併せて、本実施形態では、保持部４１の少なくとも一部は底壁部１０１における表面最下部Ｘよりも上方に位置している。そのため、保持部４１を上方へと引っ張りやすくなり、アタッチメント部材４等をより容易に取外すことができる。
【００６８】
また、排水口１０４を閉状態としたときに、パッキン部６３の外周部分全周が排水口部材２の角部２３と接触する。従って、排水口部材２に対するパッキン部６３の接触部分の径（シール径）を極めて小さくすることができ、排水口１０４を開放する際に、前記操作部材へと加えることが必要な力を効果的に小さくすることができる。その結果、操作性の向上を図ることができるとともに、操作時に伝達部材８や前記操作部材等に加わる負荷をより確実に低減することができる。また、パッキン部６３のシール径を小さくできることで、排水口１０４の閉鎖時において、パッキン部６３の全周を角部２３に対してより確実に接触させることができるとともに、パッキン部６３を製造する際の材料コストを低減することができる。
【００６９】
尚、上記実施形態の記載内容に限定されず、例えば次のように実施してもよい。勿論、以下において例示しない他の応用例、変更例も当然可能である。
【００７０】
（ａ）上記実施形態において、支持軸機構５は、保持部４１により保持されているが、保持部４１の内部に支持軸５１を設け、支持軸５１及び保持部４１により支持軸機構を構成することとしてもよい。すなわち、支持軸機構５及びアタッチメント部材４は、その構成部分の一部が共通であってもよい。
【００７１】
（ｂ）上記実施形態では、槽体として浴槽１００を例示しているが、本発明の技術思想を適用可能な槽体は浴槽に限定されるものではない。従って、例えば、洗面器やキッチンの流し台などに対して本発明の技術思想を適用することとしてもよい。
【００７２】
（ｃ）上記実施形態では、雄ねじ部２２を雌ねじ部３３に螺合することで、配管３の上端側内周に排水口部材２の外周が取付けられているが、両者の取付手法はこれに限定されるものではない。従って、例えば、配管３の上端側内周に設けられた被係止部に対し、排水口部材２の外周に設けられた係止部を係止することで、配管３の上端側内周に排水口部材２の外周を取付けることとしてもよい。
【００７３】
（ｄ）上記実施形態では、栓蓋６（パッキン部６３）が排水口部材２に接触することで排水口１０４が閉鎖されるように構成されているが、栓蓋６（パッキン部６３）が浴槽１００に接触することで排水口１０４を閉鎖するように構成してもよい。
【符号の説明】
【００７４】
１…排水栓装置、２…排水口部材、３…配管、４…アタッチメント部材、６…栓蓋、３４…段部、４１…保持部、４２…取付部、４３…連結部、４５…スリット部、４６…被載置部、４７…被接触部、１００…浴槽（槽体）、１０４…排水口。
【図１】
2017172210.tif 000003
【図２】
2017172210.tif 000004
【図３】
2017172210.tif 000005
【図４】
2017172210.tif 000006
【図５】
2017172210.tif 000007